(57)【要約】【課題】操作手段の操作態様を用いて、有利遊技開始に関して今までにない斬新な判定制御を行い、新感覚でプレイすることができる遊技機を提供する。【解決手段】図柄表示手段の図柄変動が開始してから所定時間が経過する前であって、かつ少なくとも１の図柄表示手段が図柄変動表示中に、ストップスイッチ５０のうちいずれか２個の停止ボタンが同時操作された場合には、当該操作タイミングで開始決定手段１６４が有利遊技移行抽選を行い、当該抽選結果に基づいて、有利遊技が開始される。【選択図】図７
2007209427.tif 000002
【特許請求の範囲】
【請求項１】
複数の図柄を変動表示及び停止表示可能な複数の図柄表示手段と、
前記図柄表示手段の図柄を変動表示させるためのスタートスイッチと、
前記各図柄表示手段の図柄を停止表示させるための少なくとも３個の停止ボタンからなるストップスイッチと、
前記図柄表示手段、前記スタートスイッチ及び前記ストップスイッチを制御すると共に、当選か否かの当選判定の抽選を行う当選抽選手段を有する制御装置とを備え、
遊技として、通常行われる通常遊技と、通常遊技よりも多くの利益を遊技者に付与可能な有利遊技とを有し、
複数の前記図柄表示手段がすべて停止表示された状態で、視認可能な複数の図柄が、あらかじめ定められた態様で表示されることを条件に入賞となる遊技機において、
前記ストップスイッチのうち複数の停止ボタンが同時に操作された場合には、前記図柄表示手段の図柄変動を停止させないように形成されているとともに、
前記制御装置は、
２個の停止ボタンが同時操作されたことを判定する操作判定手段と、
前記有利遊技を開始させるか否かを、抽選テーブルを用いて有利遊技移行抽選により決定可能な開始決定手段手段とを少なくとも備え、
前記図柄表示手段の図柄変動が開始してから所定時間が経過する前であって、かつ少なくとも１の図柄表示手段が図柄変動表示中に、前記ストップスイッチのうちいずれか２個の停止ボタンが同時操作された場合には、当該操作タイミングで前記開始決定手段が有利遊技移行抽選を行い、当該抽選結果に基づいて、有利遊技が開始されることを特徴とする遊技機。
【請求項２】
前記制御装置は、前記有利遊技移行抽選に用いられる抽選テーブルと、前記複数の停止ボタンのうち２個の停止ボタンによって作られる複数の組合せのうち少なくとも一の組合せとが対応するように、前記２個の停止ボタンの組合せに割り当てられる抽選テーブルを、抽選により決定する割当て抽選手段を備え、
前記操作判定手段は、同時操作された２個の停止ボタンを特定するとともに、
前記開始決定手段は、前記操作判定手段により特定された２個の停止ボタンの組合せに前記抽選テーブルが割り当てられている場合には、当該抽選テーブルを用いて前記有利遊技移行抽選を行うことを特徴とする請求項１記載の遊技機。
【請求項３】
前記制御装置は、前記有利遊技移行抽選に用いる抽選テーブルとして、それぞれ当選確率の異なる複数の抽選テーブルを有し、
前記割当て抽選手段は、前記複数の抽選テーブルと、前記複数の停止ボタンのうち２個の停止ボタンによって作られる複数の組合せが、各々一対一で対応するように、前記２個の停止ボタンの組合せに割り当てられる抽選テーブルを決定可能であり、
前記開始決定手段は、前記操作判定手段により特定された２個の停止ボタンの組合せに割り当てられた抽選テーブルを用いて、前記有利遊技移行抽選を行うことを特徴とする請求項２記載の遊技機。
【請求項４】
前記制御装置は、抽選テーブルが割り当てられた２個の停止ボタンの組合せを遊技者に報知する組合せアシスト報知を実行可能に形成されていることを特徴とする請求項２又は３記載の遊技機。
【請求項５】
前記組合せアシスト報知として、前記２個の停止ボタンの組合せのうち最も当選確率が高く設定された抽選テーブルが割り当てられた組合せを遊技者に報知する高確率組合せアシスト報知を実行可能に形成されていることを特徴とする請求項４記載の遊技機。
【請求項６】
前記当選抽選手段による当選判定の抽選の結果、所定の当選役に当選した場合に、前記組合せアシスト報知を実行可能としたことを特徴とする請求項４又は５記載の遊技機。
【請求項７】
遊技機を、
複数の図柄を変動表示及び停止表示可能な複数の図柄表示手段、
前記図柄表示手段の図柄を変動表示させるための図柄変動開始手段、
前記各図柄表示手段の図柄を停止表示させるための少なくとも３個の操作部からなる図柄変動停止手段、
前記図柄表示手段、前記図柄変動開始手段及び前記図柄変動停止手段を制御すると共に、当選に関する抽選を行うための遊技制御手段、
通常遊技を制御する通常遊技制御手段、
通常遊技よりも多くの利益を遊技者に付与可能な有利遊技を制御する有利遊技制御手段、
複数の前記図柄表示手段がすべて停止表示された状態で、視認可能な複数の図柄が、あらかじめ定められた態様で表示されることを条件に入賞として扱うための入賞判定手段、
前記図柄変動停止手段の複数の操作部が同時に操作された場合には、前記図柄表示手段の図柄変動を停止不能とするための操作無効手段、
２個の操作部が同時操作されたことを判定する操作判定手段、
前記図柄表示手段の図柄変動が開始してから所定時間が経過する前であって、かつ少なくとも１の図柄表示手段が図柄変動表示中に、前記図柄変動停止手段のうちいずれか２個の操作部が同時操作された場合には、当該操作タイミングで、前記有利遊技を開始させるか否かを抽選テーブルを用いて有利遊技移行抽選により決定可能な開始決定手段手段、
として機能させるための遊技機用プログラム。
【請求項８】
遊技機を、
複数の図柄を変動表示及び停止表示可能な複数の図柄表示手段、
前記図柄表示手段の図柄を変動表示させるための図柄変動開始手段、
前記各図柄表示手段の図柄を停止表示させるための少なくとも３個の操作部からなる図柄変動停止手段、
前記図柄表示手段、前記図柄変動開始手段及び前記図柄変動停止手段を制御すると共に、当選に関する抽選を行うための遊技制御手段、
通常遊技を制御する通常遊技制御手段、
通常遊技よりも多くの利益を遊技者に付与可能な有利遊技を制御する有利遊技制御手段、
複数の前記図柄表示手段がすべて停止表示された状態で、視認可能な複数の図柄が、あらかじめ定められた態様で表示されることを条件に入賞として扱うための入賞判定手段、
前記図柄変動停止手段の複数の操作部が同時に操作された場合には、前記図柄表示手段の図柄変動を停止不能とするための操作無効手段、
２個の操作部が同時操作されたことを判定する操作判定手段、
前記図柄表示手段の図柄変動が開始してから所定時間が経過する前であって、かつ少なくとも１の図柄表示手段が図柄変動表示中に、前記図柄変動停止手段のうちいずれか２個の操作部が同時操作された場合には、当該操作タイミングで、前記有利遊技を開始させるか否かを抽選テーブルを用いて有利遊技移行抽選により決定可能な開始決定手段手段、
として機能させるための遊技機用プログラムを記録した記録媒体。
【発明の詳細な説明】
【技術分野】
【０００１】
この発明は、変動表示されている図柄表示手段の図柄を停止させるための操作手段を有する遊技機に関するものである。
【背景技術】
【０００２】
従来、この種の遊技機、例えばスロットマシンでは、遊技中の抽選により開始が決定された有利遊技が、遊技状態がある特定の開始条件に該当することにより開始されるように形成されているものがあり、特定の開始条件を、遊技履歴が特定の設定に達した場合としているものが知られている。例えば、特許文献１には、遊技履歴に応じて特殊遊技が行われるように形成されたスロットマシンが開示されており、遊技履歴としては、入賞や当選といったものが挙げられている。一方、特許文献２には、操作手段の操作によって、遊技機の内部情報を知ることができるように形成されたスロットマシンが開示されている。
【特許文献１】特開２００３−１５４０６４号公報
【特許文献２】特開２００１−２１２２８１号公報
【発明の開示】
【発明が解決しようとする課題】
【０００３】
しかし、従来の遊技機においては、操作手段の操作態様、例えばストップスイッチの同時押下や押下組合せなどが、有利遊技の開始条件に関わってくるように形成されたものはみあたらなかった。
そこで、本願発明は、操作手段の操作態様を用いて、有利遊技開始に関して今までにない斬新な判定制御を行い、新感覚でプレイすることができる遊技機を提供することを目的とする。
【課題を解決するための手段】
【０００４】
（特徴点）
各請求項にそれぞれ記載された各発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
（請求項１）
請求項１記載の発明は、次の点を特徴とする。
すなわち、請求項１記載の発明は、複数の図柄を変動表示及び停止表示可能な複数の図柄表示手段と、前記図柄表示手段の図柄を変動表示させるためのスタートスイッチ(30)と、前記各図柄表示手段の図柄を停止表示させるための少なくとも３個の停止ボタン（左ボタン51、中ボタン52、右ボタン53）からなるストップスイッチ(50)と、前記図柄表示手段、前記スタートスイッチ(30)及び前記ストップスイッチ(50)を制御すると共に、当選か否かの当選判定の抽選を行う当選抽選手段(110)を有する制御装置(20)とを備え、遊技として、通常行われる通常遊技と、通常遊技よりも多くの利益を遊技者に付与可能な有利遊技とを有し、複数の前記図柄表示手段がすべて停止表示された状態で、視認可能な複数の図柄が、あらかじめ定められた態様で表示されることを条件に入賞となる遊技機に係る。
【０００５】
本発明に係る遊技機は、スロットマシンやパロット遊技機などの遊技機である。ここで、「図柄表示手段」には、複数の図柄が表示されたリールテープを貼り付けた回転リール(40)の他、液晶表示装置により図柄を変動表示又は停止表示可能に形成したものも含まれる。また、「複数の図柄が、あらかじめ定められた態様で表示」には、複数の図柄が入賞するために有効な図柄の配列を規定した有効入賞ライン上に揃うことが含まれる。
そして本発明に係る遊技機は、前記ストップスイッチ(50)のうち複数の停止ボタンが同時に操作された場合には、前記図柄表示手段の図柄変動を停止させないように形成されているとともに、前記制御装置(20)は、２個の停止ボタンが同時操作されたことを判定する操作判定手段(162)と、前記有利遊技を開始させるか否かを、抽選テーブルを用いて有利遊技移行抽選により決定可能な開始決定手段手段(164)とを少なくとも備え、前記図柄表示手段の図柄変動が開始してから所定時間が経過する前であって、かつ少なくとも１の図柄表示手段が図柄変動表示中に、前記ストップスイッチ(50)のうちいずれか２個の停止ボタンが同時操作された場合には、当該操作タイミングで前記開始決定手段(164)が有利遊技移行抽選を行い、当該抽選結果に基づいて、有利遊技が開始されることを特徴とする。
【０００６】
ここで、「複数の停止ボタンが同時に操作された場合には、前記図柄表示手段の図柄変動を停止させない」場合の、同時操作に係る停止ボタンは、必ずしも図柄変動表示中の図柄表示手段に対応する停止ボタンでなくともよい。例えば、図柄変動表示中の一の図柄表示手段に対応する停止ボタンと、すでに図柄変動表示が停止している図柄表示手段に対応する停止ボタンとを同時に操作した場合でも、図柄変動表示中の図柄表示手段の図柄変動を停止させないことも含むものである。
またここで、「いずれか２個の停止ボタン」は、有利遊技開始の条件となる組合せがあらかじめ設定されていてもよく、その組合せが所定の確率で遊技者に報知されるようにしてもよい。あるいは、２個の停止ボタンの組合せのいずれであっても、同時操作のタイミングで有利遊技移行抽選が行われるようにしてもよい。
【０００７】
また、「図柄表示手段の図柄変動が開始してから所定時間」は、例えば１０秒程度の時間であって、スタートスイッチ(30)の操作信号受付時から所定時間、図柄表示手段としての回転リール(40)が定常回転となってから所定時間、ストップスイッチ(50)の操作が有効となってからの所定時間など、適宜設定することができる。
さらに、２個の停止ボタンの同時操作の判定は、図柄表示手段の作動を制御する図柄表示制御手段（例えばリール制御手段(130)）が、一の停止ボタンの操作信号と他の一の停止ボタンの操作信号の受信タイミングを判断して、予め定められた設定時間に満たない時間差で二つの停止ボタンからの操作信号を受信した場合には、同時操作と判断することができる。あるいは、一の停止ボタンの操作信号受信に基づく停止信号（図柄表示手段を変動停止させるための信号。例えば回転リール(40)の駆動モータに出力される駆動停止信号）の出力前に、他の一の停止ボタンの操作信号を受信するか否かによって判断することができる。これは、図柄表示手段の図柄変動停止時に引き込み又は蹴飛ばしの設定（停止信号の出力を停止ボタンの操作タイミングとずらすことにより、所定位置に停止可能な図柄を極力停止させるべき位置に停止させ、所定位置に停止させてはいけない図柄が当該位置に停止しないようにする制御）がなされている場合に、一の停止ボタンの操作に基づき対応する図柄表示手段の図柄変動停止がまだ完了していない間に（すなわち引き込み、蹴飛ばしの最中に）、他の一の停止ボタンが操作された場合には、同時操作として判定可能としたものである。そして、同時操作の場合には、停止操作された二つの停止ボタンに対応する図柄変動表示中の図柄表示手段の変動表示は停止しない。すなわち、停止ボタンの操作信号が無効にされる。このとき、図柄表示制御手段から操作判定手段(162)に操作無効信号あるいは同時操作信号が出力されるように形成してもよい。
【０００８】
本発明では、停止ボタンの同時操作によって、有利遊技の開始が決定されるが、開始が決定された有利遊技の開始時期は問わない。例えば、決定後すぐに（次の遊技から）有利遊技に移行するようにしてもよいし、所定の遊技期間（例えばＢＢゲーム）の終了後に有利遊技に移行するようにしてもよい。
（作用）
前記開始決定手段(164)は、少なくとも１の図柄表示手段が図柄を変動表示中において、所定時間内に、２個の停止ボタンが同時操作された場合に、有利遊技移行抽選を行う。なお、停止ボタンが同時操作されない場合（例えば２個の停止ボタンを操作するタイミングがずれた場合）や、所定時間が経過した場合には、同時操作に基づく有利遊技移行抽選は行わない。ただこの場合、同時操作に関わらない有利遊技移行抽選を行うように形成するのはかまわない。この場合には、同時操作に基づく有利遊技移行抽選よりも、有利遊技移行の当選確率を低くするなどして、条件を変更するのが好ましい。
【０００９】
本発明によれば、ストップスイッチ(50)の同時操作によって、有利遊技の開始の有無が決定されるので、ただ漫然とストップスイッチ(50)を操作するだけではない楽しみを遊技者に提供することができる。
（請求項２）
請求項２記載の発明は、上記した請求項１記載の発明の特徴点に加え、次の点を特徴とする。
すなわち、請求項２記載の発明は、前記制御装置(20)は、前記有利遊技移行抽選に用いられる抽選テーブルと、前記複数の停止ボタンのうち２個の停止ボタンによって作られる複数の組合せのうち少なくとも一の組合せとが対応するように、前記２個の停止ボタンの組合せに割り当てられる抽選テーブルを抽選により決定する割当て抽選手段(161)を備え、前記操作判定手段(162)は、同時操作された２個の停止ボタンを特定するとともに、前記開始決定手段(164)は、前記操作判定手段(162)により特定された２個の停止ボタンの組合せに前記抽選テーブルが割り当てられている場合には、当該抽選テーブルを用いて前記有利遊技移行抽選を行うことを特徴とする。
【００１０】
本発明は、２個の停止ボタンの組合せのうち、少なくとも一の特定の組合せが同時押下された場合には、有利遊技移行抽選が行われるように形成したものである。
ここで、「２個の停止ボタンによって作られる複数の組合せ」とは、例えば、左、中、右の３個の停止ボタンがある場合には、(1)左、中の組み合わせ、(2)中、右の組み合わせ、(3)左、右の組み合わせの３通りの組み合わせである。そして、割当て抽選手段(161)は、この３通りの組合のうち、少なくとも一つの組合せについて、一の抽選テーブルが対応するよう、割当て抽選によって、抽選テーブルと組合せとの対応関係を決定する。割当て抽選は、好ましくは図柄表示手段が変動表示を開始するまでの間に行うのがよい。
【００１１】
なお、抽選テーブルは複数あってもよく、例えば２個の抽選テーブルを前記(1)乃至(3)の組み合わせのうちいずれか２つに割り当ててるようにしてもよい。
（作用）
本発明では、遊技者は、どの停止ボタンの組み合わせを同時押下すれば、有利遊技移行抽選が行われ有利遊技が開始される可能性があるのか認知できないので、図柄表示手段の変動表示開始後、所定時間の間に、とりあえず複数ある停止ボタンの組み合わせのうち一つについて同時操作してみることとなる。そして、運が良ければ有利遊技移行抽選が行われ、有利遊技が開始される可能性が高くなる。
【００１２】
（請求項３）
請求項３記載の発明は、上記した請求項２記載の発明の特徴点に加え、次の点を特徴とする。
すなわち、請求項３記載の発明は、前記制御装置(20)は、前記有利遊技移行抽選に用いる抽選テーブルとして、それぞれ当選確率の異なる複数の抽選テーブルを有し、前記割当て抽選手段(161)は、前記複数の抽選テーブルと、前記複数の停止ボタンのうち２個の停止ボタンによって作られる複数の組合せが、各々一対一で対応するように、前記２個の停止ボタンの組合せに割り当てられる抽選テーブルを決定可能であり、前記開始決定手段(164)は、前記操作判定手段により特定された２個の停止ボタンの組合せに割り当てられた抽選テーブルを用いて、前記有利遊技移行抽選を行うことを特徴とする。
【００１３】
本発明は、同時操作される２個の停止ボタンの組合せに応じて、有利遊技移行抽選の当選確率が異なるように形成したものである。
本発明においては、割当て抽選手段(161)は、複数の停止ボタンの組合せに、それぞれ一の抽選テーブルが対応するよう、割当て抽選によって、抽選テーブルと組合せとの対応関係を決定する。
具体的には、停止ボタンが３個ある場合には、上述したように３通りの組合せができ、抽選テーブルとしては、中確率テーブルと、中確率テーブルよりも当選確率が高く設定された高確率テーブルと、中確率テーブルよりも当選確率が低く設定された低確率テーブルとを設けることができる。そして、割当て抽選手段(161)は、これらの抽選テーブルのうち、どのテーブルがどの組合せに対応するかをそれぞれ決定する。割当て抽選は、好ましくは図柄表示手段が変動表示を開始するまでの間に行うのがよい。
【００１４】
（作用）
本発明では、遊技者は、どの停止ボタンの組み合わせを同時押下すれば、高確率で有利遊技移行抽選が行われ有利遊技が開始される確率が高くなるのか認知できないので、図柄表示手段の変動表示開始後、所定時間の間に、とりあえず３通りの停止ボタンの組み合わせのうち一つについて同時操作操作してみることとなる。そして、運が良ければ高確率で有利遊技移行抽選が行われ、有利遊技が開始される可能性が増大する。
（請求項４）
請求項４記載の発明は、上記した請求項２又は３記載の発明の特徴点に加え、次の点を特徴とする。
【００１５】
すなわち、請求項４記載の発明は、前記制御装置は、抽選テーブルが割り当てられた２個の停止ボタンの組合せを遊技者に報知する組合せアシスト報知を実行可能に形成されていることを特徴とする。
本発明は、同時押下で有利遊技移行抽選が行われる条件となる停止ボタンの組合せを、遊技者に告知するようにしたものである。
前記組合せアシスト報知は、例えば演出制御装置(22)の制御により行われるものであり、有利遊技移行抽選テーブルの割り当てられた組合せが複数ある場合には、複数の組合せをすべて報知するのでもよいし、いずれか１つの組合せについて報知するものでもよい。また、組合せアシスト報知は、特定の当選フラグ成立などの予め定められた条件に該当した場合に行われるものであってもよいし、組合せアシスト報知を行うか否かのアシスト報知抽選の抽選結果に基づいて行われるようにしてもよい。
【００１６】
さらに、前記アシスト報知抽選は、例えば報知抽選手段(163)が行うことができ、遊技状態や遊技成績などによって、アシスト報知抽選の当選確率が変化するようにしてもよい。
本発明によれば、組合せアシスト報知が行われる場合には、遊技者が当該報知通りに停止ボタンの操作を行うことにより、有利遊技移行抽選に基づく有利遊技開始の可能性が高くなる。
また、アシスト報知抽選の抽選確率を変化させることにより、組合せアシスト報知が多く実行される有利期間と、そうでない通常期間とを作り出すことができる。
【００１７】
（請求項５）
請求項５記載の発明は、上記した請求項４記載の発明の特徴点に加え、次の点を特徴とする。
すなわち、請求項５記載の発明は、前記組合せアシスト報知として、前記２個の停止ボタンの組合せのうち最も当選確率が高く設定された抽選テーブルが割り当てられた組合せを遊技者に報知する高確率組合せアシスト報知を実行可能に形成されていることを特徴とする。
本発明は、同時押下で有利遊技移行抽選が行われる条件となる停止ボタンの組合せのうち、遊技者に最も有利となる組合せを遊技者に告知するようにしたものである。
【００１８】
本発明によれば、高確率組合せアシスト報知が行われる場合には、遊技者が当該報知通りに停止ボタンの操作を行うことにより、高確率で有利遊技移行抽選が行われ、その結果として有利遊技開始の可能性がより高くなる。
（請求項６）
請求項６記載の発明は、上記した請求項４又は５記載の発明の特徴点に加え、次の点を特徴とする。
すなわち、請求項６記載の発明は、前記当選抽選手段(110)による当選判定の抽選の結果、所定の当選役に当選した場合に、前記組合せアシスト報知を実行可能としたことを特徴とする。
【００１９】
本発明においては、当選判定の抽選に当選している場合に、アシスト報知抽選を行うように形成し、その結果、組合せアシスト報知が実行されるように形成してもよいし、アシスト報知抽選にはずれた場合でも、当選判定の抽選に当選している場合には、組合せアシスト報知を実行するように形成してもよい。ここで、当選抽選手段(110)による「当選」は、特定の当選役が当選した場合としてもよいし、いずれかの当選役が当選した場合としてもよい。
本発明によれば、組合せアシスト報知が行われた場合には、当選しているというかもしれないという期待感を遊技者に抱かせることができる。
【００２０】
（請求項７）
請求項７記載の発明は、次の点を特徴とする。
すなわち、請求項７記載の発明は、遊技機を、複数の図柄を変動表示及び停止表示可能な複数の図柄表示手段、前記図柄表示手段の図柄を変動表示させるための図柄変動開始手段、前記各図柄表示手段の図柄を停止表示させるための少なくとも３個の操作部からなる図柄変動停止手段、前記図柄表示手段、前記図柄変動開始手段及び前記図柄変動停止手段を制御すると共に、当選に関する抽選を行うための遊技制御手段(21)、複数の前記図柄表示手段がすべて停止表示された状態で、視認可能な複数の図柄が、あらかじめ定められた態様で表示されることを条件に入賞として扱うための入賞判定手段(150)、前記図柄変動停止手段の複数の操作部が同時に操作された場合には、前記図柄表示手段の図柄変動を停止不能とするための操作無効手段、２個の操作部が同時操作されたことを判定する操作判定手段(162)、前記図柄表示手段の図柄変動が開始してから所定時間が経過する前であって、かつ少なくとも１の図柄表示手段が図柄変動表示中に、前記図柄変動停止手段のうちいずれか２個の操作部が同時操作された場合には、当該操作タイミングで、前記有利遊技を開始させるか否かを抽選テーブルを用いて有利遊技移行抽選により決定可能な開始決定手段手段(164)、として機能させるための遊技機用プログラムである。
【００２１】
ここで、遊技機としては、スロットマシンなどの現実の遊技機でもよく、液晶ディスプレイやＣＲＴなどの画像表示装置に表示させた擬似的な遊技機であってもよい。
また、前記図柄表示手段を、周囲に複数の図柄(61)を表示した回転リール(40)とし、この回転リール(40)の回転を制御するように形成することができる。この場合、前記図柄変動開始手段は、回転リール(40)の回転を開始させるためのスタートスイッチ(30)とすることができ、前記図柄変動停止手段は、回転リール(40)の回転を停止させるためのストップスイッチ(50)とすることができる。また、前記操作部は、ストップスイッチ(50)を構成する停止ボタンとすることができる。
【００２２】
あるいは、前記図柄表示手段を、液晶ディスプレイやＣＲＴなどの画像表示装置とし、これに複数の図柄を変動表示又は停止表示させるように形成してもよい。
前記入賞手段は、この遊技機用プログラムを用いて現実の遊技機を制御しようとする場合には、ホッパーユニット(65)を作動させて遊技者に対してメダル等対価の払い出しを行うように形成することができる。一方、この遊技機用プログラムを用いて業務用、家庭用のテレビゲーム機等を制御しようとする場合には、液晶ディスプレイやＣＲＴなどの画像表示装置に、入賞時にメダルの払い出しがなされるような画像や、手持ちの遊技メダル数が増加するような表示や、所定の得点が加算されるような表示を行うように形成することができる。
【００２３】
このように、本発明は、現実の遊技機を制御するためのプログラムと、業務用、家庭用のテレビゲーム機やパソコン等に読み込まれることによりそれらを遊技機として機能させるためのプログラムとの双方を含むものである。
（作用）
前記開始決定手段(164)は、すべての図柄表示手段が図柄を変動表示中において、所定時間内に、２個の操作部が同時操作された場合に、有利遊技移行抽選を行う。なお、操作部が同時操作されない場合や、所定時間が経過した場合には、同時操作に基づく有利遊技移行抽選は行わない。ただこの場合、同時操作に関わらない有利遊技移行抽選を行うように形成するのはかまわない。この場合には、同時操作に基づく有利遊技移行抽選よりも、有利遊技移行の当選確率を低くするなどして、条件を変更するのが好ましい。
【００２４】
本発明によれば、操作部の同時操作によって、有利遊技の開始の有無が決定されるので、ただ漫然と図柄変動停止手段を操作するだけではない楽しみを遊技者に提供することができる。
ところで、本発明においては、前記制御装置(20)は、前記有利遊技移行抽選に用いられる抽選テーブルと、前記複数の停止ボタンのうち２個の停止ボタンによって作られる複数の組合せのうち少なくとも一の組合せとが対応するように、前記２個の停止ボタンの組合せに割り当てられる抽選テーブルを抽選により決定する割当て抽選手段(161)を備え、前記操作判定手段(162)は、同時操作された２個の停止ボタンを特定するとともに、前記開始決定手段(164)は、前記操作判定手段(162)により特定された２個の停止ボタンの組合せに前記抽選テーブルが割り当てられている場合には、当該抽選テーブルを用いて前記有利遊技移行抽選を行うように形成することができる。このように形成することにより、遊技者は、どの停止ボタンの組み合わせを同時押下すれば、有利遊技移行抽選が行われ有利遊技が開始される可能性があるのか認知できないので、図柄表示手段の変動表示開始後、所定時間の間に、とりあえず複数ある停止ボタンの組み合わせのうち一つについて同時操作してみることとなる。そして、運が良ければ有利遊技移行抽選が行われ、有利遊技が開始される可能性が高くなる。
【００２５】
また、前記制御装置(20)は、前記有利遊技移行抽選に用いる抽選テーブルとして、それぞれ当選確率の異なる複数の抽選テーブルを有し、前記割当て抽選手段(161)は、前記複数の抽選テーブルと、前記複数の停止ボタンのうち２個の停止ボタンによって作られる複数の組合せが、各々一対一で対応するように、前記２個の停止ボタンの組合せに割り当てられる抽選テーブルを決定可能であり、前記開始決定手段(164)は、前記操作判定手段により特定された２個の停止ボタンの組合せに割り当てられた抽選テーブルを用いて、前記有利遊技移行抽選を行うように形成してもよい。このように形成することにより、組合せアシスト報知が行われる場合には、遊技者が当該報知通りに停止ボタンの操作を行うことにより、有利遊技移行抽選に基づく有利遊技開始の可能性が高くなる。
【００２６】
あるいは、前記組合せアシスト報知として、前記２個の停止ボタンの組合せのうち最も当選確率が高く設定された抽選テーブルが割り当てられた組合せを遊技者に報知する高確率組合せアシスト報知を実行可能に形成してもよい。
さらに、前記当選抽選手段(110)による当選判定の抽選の結果、所定の当選役に当選した場合に、前記組合せアシスト報知を実行可能に形成することができる。このように形成することにより、組合せアシスト報知が行われた場合には、当選しているというかもしれないという期待感を遊技者に抱かせることができる。
（請求項８）
請求項８記載の発明は、次の点を特徴とする。
【００２７】
すなわち、請求項８記載の発明は、遊技機を、複数の図柄を変動表示及び停止表示可能な複数の図柄表示手段、前記図柄表示手段の図柄を変動表示させるための図柄変動開始手段、前記各図柄表示手段の図柄を停止表示させるための少なくとも３個の操作部からなる図柄変動停止手段、前記図柄表示手段、前記図柄変動開始手段及び前記図柄変動停止手段を制御すると共に、当選に関する抽選を行うための遊技制御手段(21)、複数の前記図柄表示手段がすべて停止表示された状態で、視認可能な複数の図柄が、あらかじめ定められた態様で表示されることを条件に入賞として扱うための入賞判定手段(150)、前記図柄変動停止手段の複数の操作部が同時に操作された場合には、前記図柄表示手段の図柄変動を停止不能とするための操作無効手段、２個の操作部が同時操作されたことを判定する操作判定手段(162)、前記図柄表示手段の図柄変動が開始してから所定時間が経過する前であって、かつ少なくとも１の図柄表示手段が図柄変動表示中に、前記図柄変動停止手段のうちいずれか２個の操作部が同時操作された場合には、当該操作タイミングで、前記有利遊技を開始させるか否かを抽選テーブルを用いて有利遊技移行抽選により決定可能な開始決定手段手段(164)、として機能させるための遊技機用プログラムを記録した記録媒体である。
【００２８】
本発明は、請求項７に記載の遊技機用プログラムを記録したコンピュータ読み取り可能な記録媒体である。
（作用）
本発明によれば、上記した請求項７記載の発明と同様の作用効果を得ることができる。
【発明の効果】
【００２９】
本発明は、以上のように構成されているので、遊技者は今までにない新感覚でプレイすることができ、結果として遊技場の稼働を挙げることができる。
【発明を実施するための最良の形態】
【００３０】
本発明の好適な実施の形態を、遊技機としてスロットマシンを例に、図面に基づき説明する。
（図面の説明）
図１乃至図７は、本発明の実施の形態を示すものである。
図１はスロットマシンの入力、制御及び出力のブロック図、図２はスロットマシンの外観正面図、図３乃至図７はスロットマシンの動作の概略のフローをそれぞれ示すものである。
（スロットマシン10）
スロットマシン10は、図２に示すように、四角箱状の筐体11を有する。この筐体11には、遊技者側に向かって臨む表示窓12が形成されており、さらに表示窓12には、三個の回転リール40の図柄61を見ることができる図柄表示窓13が形成されている。そして、スロットマシン10の略中央端部には、メダル投入口14が設けられている。
【００３１】
スロットマシン10の内部には、図示していないが、スロットマシン10の全体の動作を制御するための制御装置20（図１参照）が内蔵されている。
（制御装置20）
上記制御装置20は、図示しないが、ＣＰＵを中心に構成され、ＲＯＭ、ＲＡＭ、Ｉ／Ｏ等を備えている。ここでＣＰＵは、一個に限定されず、二個以上のＣＰＵで制御するようにしてもよい。また、ＣＰＵ、ＲＯＭ、ＲＡＭ及びＩ／Ｏ等は一体化されてワンチップを構成してもよい。そして、ＣＰＵがＲＯＭに記憶されたプログラムを読み込むことで、次の（１）及び（２）の装置を構成する。
【００３２】
（１）遊技制御装置21
（２）演出制御装置22
遊技制御装置21は、スタートスイッチ30及びストップスイッチ50の操作により、回転リール40の回転及び停止を制御するためのものである。この遊技制御装置21の詳細については後述する。
演出制御装置22は、遊技制御装置21からの信号を受信して、ランプやスピーカ等の演出表示装置66を制御するためのものである。演出制御装置22は、特に図示しないが、複数の演出データを記憶しており、遊技制御装置21からの演出要請信号又は各操作手段の操作信号に基づいて、あるいは演出制御装置22に設けられた演出抽選手段の抽選結果に基づいて、演出の有無及び実行する演出の種類を決定し、演出表示装置66に所定の演出表示を行わせる。本実施の形態においては、演出制御装置22は、有利遊技開始の契機となる２個の停止ボタンの組合せを遊技者に向けて報知する、組合せアシスト報知を実行可能に形成されているが、これについては後述する。
【００３３】
ここで、制御装置20を、主制御装置と、主制御装置からの信号を受信して作動する副制御装置とから構成し、前記遊技制御装置21を主制御装置に、前記演出制御装置22を副制御装置に配置することができる。このように、遊技を司る制御装置と演出を司る制御装置を別個に形成することにより、演出制御に当てられるメモリを大幅に増やすことができると共に、演出のみを変更することもできる。
（入力段）
上記制御装置20の入力段には、図１に示すように、次のパーツが接続されている。
（１）投入スイッチ15
（２）ベットスイッチ16
（３）精算スイッチ17
（４）スタートスイッチ30
（５）ストップスイッチ50
なお、入力段としては、上記した（１）乃至（５）のパーツに限定されるものではない。
【００３４】
（投入スイッチ15）
投入スイッチ15は、図２に示すように、メダル投入口14の下方に内蔵されたスイッチであって、投入された遊技メダルを検知するためのものである。
（ベットスイッチ16）
ベットスイッチ16は、図２に示すように、回転リール40の下方に位置するスイッチであって、貯留メダル数を減じてメダル投入に代えるためのものである。
（精算スイッチ17）
精算スイッチ17は、図２に示すように、回転リールの斜め下方に位置するスイッチであって、貯留した投入メダルを払い出すためのものである。
【００３５】
（スタートスイッチ30）
スタートスイッチ30は、図２に示すように、回転リール40の斜め下方に位置するレバーであって、遊技メダルの投入若しくはベットスイッチ16の投入を条件に、または、「再遊技（Replay）」時には前遊技から所定時間経過を条件に、リールユニット60の駆動を開始させるためのものである。
なお、ここで、「再遊技（Replay）」とは、当選抽選手段110の抽選により、「再遊技（Replay）」のフラグが成立し、「再遊技（Replay）」の図柄が入賞有効ライン上に揃うことにより、次の遊技において、遊技メダルを新たに投入することなく、再度、遊技を行うことができるものである。
【００３６】
（ストップスイッチ50）
ストップスイッチ50は、リールユニット60の駆動を停止させるためのものである。具体的には、ストップスイッチ50は、図２に示すように、三個の回転リール40に対応した三個の停止ボタンから構成され、各回転リール40の下方に１個ずつ配置されている。すなわち、左リール41の下方に左ボタン51、中リール42の下方に中ボタン52、右リール43の下方には右ボタン53が、それぞれ設けられている。そして、各回転リール40に対応した停止ボタンの操作により、当該対応した回転リール40が回転を停止するように設定されているものである。
【００３７】
前記各停止ボタンには、特に図示しないが、押下操作されたことを検知する検知センサが設けられており、この検知センサの検知信号に基づき、後述するリール制御手段130が対応する回転リール40の回転を停止させるようになっている。
なお、本実施の形態においては、所定の条件下において、回転リール40の回転開始後所定時間内であって、すべての回転リール40の回転中に、二つの停止ボタンを同時押下することにより、有利遊技が開始されるようになっているが、これについては後述する。
（出力段）
前記制御装置20の出力段には、図１に示すように、次のパーツが接続されている。
【００３８】
（１）リールユニット60
（２）ホッパーユニット65
（３）演出表示装置66（画像表示部67及びランプ68及びスピーカ69）
なお、出力段としては、上記した（１）乃至（３）のパーツに限定されるものではない。
（リールユニット60）
リールユニット60は、特に図示しないが枠体に固定或いは支持された三個のモータと、各々のモータの出力軸に固定された三個の回転リール40（左リール41、中リール42、右リール43）とから構成されている。そして、各回転リール40は、合成樹脂からなる回転ドラムと、この回転ドラムの周囲に貼付されるテープ状のリールテープとを備えている。このリールテープの外周面には、複数個（例えば２１個）の図柄61が表示されている。
【００３９】
（ホッパーユニット65）
ホッパーユニット65は、図示しないが、遊技の結果に基づいて、遊技者にメダルを払い出すためのものである。
（演出表示装置66）
演出表示装置66は、演出制御装置22の制御により、遊技者に入賞等を報知させるなど、種々の演出を行うものである。具体的には、演出表示装置66は、画像表示部67及びランプ68及びスピーカ69から構成されている。
画像表示部67は、回転リール40の側方に設けられた窓部であり、ＬＥＤ、ドットマトリックス、液晶画面等を用いて、入賞の報知その他の演出を表示するためのものである。なお、画像表示部67としては上記のものに限られず、例えば演出専用の回転リールを設け、リールの図柄や文字等により演出を表示するようにしても良い。
【００４０】
ランプ68及びスピーカ69は、発光体の点灯又は点滅、入賞音の発生により入賞等を報知するためのものである。
（遊技制御装置21）
次に、遊技制御装置21について詳述する。
遊技制御装置21は、スタートスイッチ30及びストップスイッチ50の操作により、回転リール40の回転及び停止を制御するためのものである。そして、この遊技制御装置21は、次の（１）乃至（８）の手段として機能する。
（１）通常遊技制御手段70
（２）特別遊技制御手段80
（３）当選抽選手段110
（４）有利遊技制御手段120
（５）リール制御手段130
（６）ホッパー制御手段140
（７）入賞判定手段150
（８）有利遊技開始制御手段160
なお、前記通常遊技制御手段70は、通常遊技を行わせるために通常遊技に関する制御を行うものであり、前記特別遊技制御手段80は、特別遊技を行わせるために特別遊技に関する制御を行うものである。
【００４１】
また、遊技制御装置21としては、上記した（１）〜（８）の手段に限定されるものではなく、他の手段を含んでいても良い。
（通常遊技制御手段70）
通常遊技制御手段70は、通常遊技を行わせるためのものである。
すなわち、メダルの投入若しくはベットスイッチ16の押下を条件に、または、「再遊技（Replay）」時には前遊技から所定時間経過を条件に、スタートスイッチ30を操作すると、リールユニット60が駆動され、三個の回転リール40が回転を開始する。
その後、ストップスイッチ50の一個を操作すると、当該対応する回転リール40の回転が停止する。
【００４２】
そして、ストップスイッチ50を三個全て操作し終わると、三個の回転リール40の回転が全て停止する。このとき、表示窓12の入賞有効ライン上に、予め設定された図柄61が停止すると、ホッパーユニット65を介して所定枚数のメダルが払い出される。なお、メダルを払い出す代わりに、クレジットしても良い。
当選には、入賞により遊技メダルの払い出しを伴い、遊技者に利益を付与する小役当選と、この小役当選よりもさらに大きな利益を遊技者に付与する特別当選と、遊技メダルの払い出しは無いが、遊技メダルを新たに投入することなく再度の遊技を行うことができる「再遊技（Replay）」とを備えている。そして、その抽選結果がいずれかの役に当選となった場合、その当選に対応した当選フラグが成立する。そして、抽選結果が特別当選である場合に、特別当選フラグが成立し、この特別当選フラグ成立中に、リールユニット60の回転リール40の停止図柄61の組み合わせが、予め定められた所定の特別当選図柄61（例えば、入賞有効ライン上に「７」が三個揃うもの）と一致したことを条件に入賞し、遊技者に有利な特別遊技を行わせるように形成されている。一方、抽選により特別当選フラグが成立したが、回転リール40の停止図柄61の組み合わせが特別当選図柄61と一致していない場合には、それ以後の遊技に特別当選フラグ成立の権利が持ち越されるように設定されている。なお、小役の当選フラグは、当選フラグが成立した遊技で入賞させられない場合、当選フラグ成立の権利の次の遊技への持ち越しはない。
【００４３】
また、いずれかの当選フラグが成立中に、対応する当選図柄61を入賞有効ライン上に揃えることができるか否かは、回転リール40の回転速度が一定の場合、ストップスイッチ50のタイミングによるものである。具体的には、ストップスイッチ50を操作した後、１９０ｍｓ以内に回転リール40が停止するように設定されているため、ストップスイッチ50を操作した後、そのまま停止させるか、或いは１９０ｍｓ以内に停止可能な回転リール40の円周上の引き込み可能図柄61、例えば停止図柄から連続する４個の引き込み可能図柄61の中に、対応する入賞図柄61が含まれているような場合には、停止するまでの時間を遅らせて、回転リール40は入賞有効ライン上にその当選図柄61を引き込んで停止する。一方、かかる４個の引き込み可能図柄61の中に、対応する当選図柄61が含まれていないような場合には、入賞有効ライン上にその当選図柄61を引き込んで停止することができない。
【００４４】
（特別遊技制御手段80）
特別遊技制御手段80は、抽選手段の抽選結果に基づいて、通常遊技よりも遊技者に有利となる特別遊技を行わせるためのものである。
上記特別遊技としては、大別すると、次のゲームがある。
（１）特定導入遊技（ビッグボーナスゲーム。以下ＢＢゲームという）
（２）特定遊技（レギュラーボーナスゲーム。以下ＲＢゲームという）
（３）特定当選遊技（ジャックゲーム。以下ＪＡＣゲームという）
（４）有利遊技
ここで、ＲＢゲームは、ＢＢゲーム中に行われる場合と、ＢＢゲーム中でないときにも単独で行われる場合がある。ＪＡＣゲームは、ＲＢゲーム中に行われるものである。
【００４５】
またここで、上記有利遊技とは、ＢＢゲーム、ＲＢゲーム以外の特別遊技であって、例えばアシストタイム（以下ＡＴという）、リプレイタイム（以下ＲＴという）、アシストリプレイタイム（以下ＡＲＴという）を設けることができる。ＡＴとは、所定期間に亘り、当選抽選手段110の抽選結果に関する情報を、所定の確率で報知する遊技期間である。ＲＴとは、所定期間に亘り、再遊技の当選確率が高く設定された遊技期間である。ＡＲＴとは、所定期間に亘り、当選抽選手段の抽選結果に関する情報を、所定の確率で報知するとともに、再遊技の当選確率が高く設定された遊技期間である。いずれも、遊技者の獲得メダル（入賞による払い出しメダルから投入メダルを差し引いたメダル数）が増加する可能性が高い有利遊技期間である。なお、有利遊技としては、上記した遊技に限定されるものではない。
【００４６】
特別遊技制御手段80は、図１に示すように、大別すると、次の手段を備える。
（１）特定導入遊技制御手段90
（２）特定遊技制御手段100
（３）有利遊技制御手段120
（特定導入遊技制御手段90）
特定導入遊技制御手段90は、ＢＢゲームを制御するためのものである。
具体的には、通常遊技において、図示しないが、例えば「７」等の図柄61が入賞有効ライン上に三個揃うと、ホッパーユニット65を介して、例えば１５枚のメダルが払い出される。このとき、ＢＢゲームが開始される。
【００４７】
ＢＢゲームに移行すると、通常遊技と同様に最大３枚のメダルの投入によって開始され、３つの回転リールの回転を各々停止させた際に、入賞有効ライン上に当選図柄が揃っているか否かによって、メダルの払い出しが行われるものである。
したがって、ＢＢゲーム中では、通常遊技と同様に小役を含めた抽選が毎回行われるものである。ただ、このＢＢゲーム中にＲＢゲームに移行するための特定当選図柄が入賞有効ライン上に揃った場合には、その後ＲＢゲームに移行する。１回のＲＢゲームが終了した後は、また前述したような通常遊技と同様な抽選及び制御が行われるものである。
そして、ＢＢゲームは、入賞によりあらかじめ定められた枚数のメダルが払い出された場合には、遊技回数やＲＢゲームであるか否かにかかわらず終了する。
【００４８】
ここで、本実施の形態では、ＢＢゲームとして、上述したような遊技が行われるノーマルビッグボーナスゲーム（以下ＮＢＢゲームという）と、ゲーム終了後に有利遊技が付加されたスーパービッグボーナスゲーム（以下ＳＢＢゲームという）を有している。ＮＢＢゲームとＳＢＢゲームは、いずれも当選判定の抽選結果がＢＢ当選の場合に行われるものであり、その判定方法としては、当選判定テーブル113のＢＢ当選領域中にＮＢＢとＳＢＢの領域を設けるようにしてもよいし、ＢＢが当選した場合に、ＮＢＢとするかＳＢＢとするかの抽選を行って決定してもよい。
（特定遊技制御手段100）
特定遊技制御手段100は、ＲＢゲームを制御するためのものである。
【００４９】
具体的には、ＲＢゲームに移行すると、メダルが１枚投入となり、回転リール40の所定の図柄61が表示窓12のセンターライン上に揃った場合に入賞となる特定当選遊技が行われるものである。そして、ＲＢゲームでは、入賞するか否かの特定当選遊技が最大１２回行えるものであり、そのうち、最大８回の入賞が可能である。すなわち、最大８回の入賞するか、或いは最大１２回の特定当選遊技の終了により、ＲＢゲームは終了するものである。
（有利遊技制御手段120）
有利遊技制御手段120は、有利遊技開始制御手段160の有利遊技開始の決定に基づき、特殊遊技を開始させるためのものである。具体的には、上述のＡＴ、ＲＴ、ＡＲＴを制御するためのものである。
【００５０】
有利遊技制御手段120は、ＡＴ、又はＡＲＴの開始が決定された場合には、演出制御装置22に当選抽選手段110の抽選結果に関する情報を出力し、所定の報知演出を行わせる。例えば、当選抽選手段110の抽選結果が所定の当選役に当選の場合には、当該当選を示唆する表示を行わせたり、３つの回転リール40を所定の順番で停止させると、抽選で当選した特定の当選役に係る図柄を入賞有効ライン上に揃えることができ易くなるように設定されている場合において、当該停止順を報知させたりする。これにより、ＡＴ、又はＡＲＴの期間中は、通常の遊技に比べて入賞させることができる割合が増加し、遊技者の手持ちのメダルが増加する。
【００５１】
また、ＲＴ、又はＡＲＴの開始が決定された場合には、当選抽選手段110に、当選判定テーブル113として、通常遊技に使用するテーブルよりも「リプレイ」の当選領域が多く設定された当選判定テーブル113への変更要請を行う。これにより、ＲＴ、又はＡＲＴの期間中は、通常遊技よりも「リプレイ」当選の比率が上昇し、遊技者はメダルを消費せずに遊技が可能となることにより、結果として手持ちのメダルが増加する。
（当選抽選手段110）
当選抽選手段110は、予め定めた抽選確率に基づいて当選役に係わる抽選を行うものである。そして、当選抽選手段110による抽選の結果、所定の当選役に当選である場合に当選フラグが成立し、この当選フラグ成立中に、回転リール40の停止図柄の組み合わせが予め定められた当選図柄と一致したことを条件に入賞し、遊技者にメダルの払い出しや、特別遊技等の利益が付与されるように設定されている。
【００５２】
上記当選抽選手段110は、図１に示すように、大別すると、次の手段を備える。
（１）乱数発生手段111
（２）乱数抽出手段112
（３）当選判定テーブル113
（４）判定手段114
なお、当選抽選手段110としては、上記した（１）乃至（４）に限定されるものではない。
（乱数発生手段111）
乱数発生手段111は、当選抽選用の乱数を所定の領域内（例えば十進数で０〜６５５３５）で発生させるものである。
【００５３】
（乱数抽出手段112）
乱数抽出手段112は、乱数発生手段111が発生する乱数を、所定の条件（例えば、スタートスイッチ30の操作）で抽出するものである。なお、この抽出した乱数を抽出乱数データとする。
なおここで、「乱数発生手段」としては、ソフト乱数としての平均採中法等で乱数を発生させることができるものの他に、一定範囲の数字を高速で１づつ加算するカウンタを用いて構成することもできる。例えば、０〜１６３８３の範囲の数字を、１秒間に７００万回程度順次繰り返すようにしたカウンタが考えられる。そして、「乱数抽出手段」としては、スタートスイッチを押したタイミングでカウンタの数字を読みとることなる。
【００５４】
このように形成すると、「乱数発生手段」では乱数を発生しているわけではないものの、「乱数抽出手段」によって抽出される数字は、あたかも乱数のような分布となる。このように、結果として乱数のような分布を示す数字が得られる手段を、ここでは「乱数発生手段」あるいは「乱数抽出手段」に含めて考えるものとする。
（当選判定テーブル113）
当選判定テーブル113は、乱数発生手段111がとる乱数の全領域中、各当選項目の当選領域を有するものである。
（判定手段114）
判定手段114は、乱数抽出手段112が抽出した抽出乱数データと、当選判定テーブル113の抽選確率データを基に、乱数発生手段111がとる乱数の全領域中の各当選項目の当選領域からなる当選判定領域データとを照合し、当該抽出乱数データが属する当選領域に対応する当選を決定するものである。
【００５５】
（リール制御手段130）
リール制御手段130は、スタートスイッチ30の操作に基づいて回転リール20を回転させると共に、特に図示しないがリール回転検知センサの検知信号に基づいて図柄の現在位置を認識しつつ、当選抽選手段110の抽選結果及びストップスイッチ50の操作タイミングに基づいて、回転リール20の停止を制御するためのものである。
具体的には、リール制御手段130は、スタートスイッチ30が操作可能な遊技中の期間において、スタートスイッチ30の操作信号を受信することにより、リールユニット60の駆動モータに駆動開始信号を出力し、すべての回転リール40を回転開始させる。そして、全回転リール40が定常回転に達した（回転速度が一定になった）後、各停止ボタンに設けられている検知センサが押下操作を検知した信号に基づき、当該検知に係る停止ボタンに対応する回転リール40の駆動モータに駆動停止信号を出力し、回転リール40の回転を停止させる。この際、判定記憶手段115の記憶している抽選結果がハズレの場合には、三個の回転リール20の図柄が如何なる入賞の態様にも揃わないように蹴飛ばし制御を行い、抽選結果が所定の当選役に当選の場合には、三個の回転リール20の図柄が極力当該当選に係る入賞の態様となるように蹴飛ばし及び引き込み制御を行う。これらの制御は、ストップスイッチ50の操作信号受信と駆動停止信号出力のタイミングをずらして、回転リール20が停止するまでの時間を遅らせることにより行われる。
【００５６】
ここで、ストップスイッチ50が操作可能な状態のときに、二つの停止ボタンが同時に操作された場合、すなわち、複数の停止ボタンの検知センサから同時に検知信号を受信した場合には、リール制御手段130はいずれの停止ボタンに対応する回転リール40も停止させない制御を行う。例えば、左ボタン51と中ボタン52の検知センサから同時にＯＮ信号を受信した場合には、左リール41の駆動モータにも、中リール42の駆動モータにも駆動停止信号は出力しない。その代わり、かかる場合には、リール制御手段130は、後述する有利遊技開始制御手段160に、同時押下信号を出力するようになっている。ここで、「同時押下」はそれほど厳密に判断する必要はなく、検知信号の「同時受信」には、ある程度のタイムラグを含むようにしてもよい。
【００５７】
なお、一の停止ボタンからの検知信号を受信してから、駆動モータに駆動停止信号を出力する前に、他の停止ボタンからの検知信号を受信した場合には、二つの検知信号受信のタイミングが多少ずれていても、二つの停止ボタンが同時押下されたものとして同時押下信号を出力することができる。例えば、先に操作された停止ボタンに対応する回転リール40について、引き込み、蹴飛ばし設定がされている場合には、当該回転リール40の引き込み・蹴飛ばしが終了する前（つまり当該回転リール40の停止前）に、次の停止ボタンの操作信号を受信した場合には、同時操作として判断し、同時押下信号を出力するものである。このように形成することにより、遊技者に対して同時操作として要求する難度が緩和され、同時操作に係る操作ムラを援助できるので、好適である。
【００５８】
また、同時押下信号は、いずれか二つの停止ボタンの操作タイミングが同時であることを有利遊技開始制御手段160に知らせるためのものであるため、操作された停止ボタンを具体的に特定して出力する必要はない。いずれの停止ボタンが同時押下されたか（されているか）は、各停止ボタンの検知信号を有利遊技開始制御手段160が入力することにより、有利遊技開始制御手段160で判定可能である。
ちなみに、三個の停止ボタンが同時押下された場合、すなわち、一つ目の停止ボタンからの検知信号を受信してから、駆動モータに駆動停止信号を出力する前に、二つ目の停止ボタンからの検知信号を受信し、これに基づく同時押下信号を出力する前に三つ目の停止ボタンからの検知信号を受信した場合には、いずれの回転リール40の駆動モータにも駆動定信号を出力しないとともに、同時押下信号も出力しない。従って、三個の停止ボタンを同時押下しても、後述する停止ボタンの同時押下による有利遊技への移行が行われることはない。
【００５９】
（ホッパー制御手段140）
ホッパー制御手段140は、入賞判定手段150からのメダル払い出し信号や、精算スイッチ17の操作信号に基づいて、ホッパーユニット５を作動させるためのものである。
（入賞判定手段150）
入賞判定手段150は、当選判定の抽選結果が当選の場合に、ストップスイッチ50の操作で三個の回転リール20の当選図柄を入賞の態様に停止させることができたかどうかを判断し、当選図柄を入賞の態様に停止させることができた場合には入賞を決定する。そして、入賞がメダル払い出しを伴う場合には、ホッパーユニット５に遊技メダルの払い出し信号を出力し、ボーナスゲーム入賞などの特別入賞の場合には、特別遊技制御手段80に特別遊技を開始させたりするためのものである。
【００６０】
（有利遊技開始制御手段160）
有利遊技開始制御手段160は、遊技中の所定時におけるストップスイッチ50の操作態様に基づいて、有利遊技への移行を開始させるためのものである。本実施の形態においては、スタートスイッチ30の操作に基づく回転リール40の回転開始後、所定時間以内に、左ボタン51、中ボタン52、右ボタン53のうち二つの停止ボタンが、予め定められた所定の組み合わせによって、予め定められた所定時間の間、予め定められた回数だけ、同時押下された場合には、ＢＢゲーム終了後に、有利遊技としてのＲＴゲームへの移行を決定するように形成されている。
【００６１】
そして、有利遊技開始制御手段160は、以下の（１）乃至（４）の手段を有している。
（１）割当て抽選手段161
（２）押下判定手段162
（３）報知抽選手段163
（４）開始決定手段164
なお、有利遊技開始制御手段160としては、上記以外の手段を有していてもかまわない。
（割当て抽選手段161）
割当て抽選手段161は、後述する開始決定手段164が行うＲＴ移行抽選の当選確率を、２個の停止ボタンの組合せに応じて決定するための、当選確率割当て抽選を行うためのものである。
【００６２】
ここで、当選確率を決定するとは、具体的には、ＲＴ移行抽選に用いる抽選テーブルを決定することである。有利遊技開始制御手段160には、特に図示しないが、ＲＴ移行抽選の抽選テーブルとして、当選領域が５パーセントに設定された低確率テーブルと、当選領域が１０パーセントに設定された中確率テーブルと、当選領域が８５パーセントに設定された高確率テーブルとが設けられている。一方、前記二つの停止ボタンの組み合わせは、左ボタン51と中ボタン52、左ボタン51と右ボタン53、中ボタン52と右ボタン53、の３通りある。そして、割当て抽選手段161は、前記３つの組み合わせのグループにそれぞれ対応する確率テーブルを、当選確率割当て抽選によって決定するものである。従って、２個の停止ボタンの組み合わせに対応する当選確率は、抽選ごとにランダムに変更される。
【００６３】
本実施の形態においては、割当て抽選手段161が行う当選確率割当て抽選は、ＢＢフラグの成立時に行われるようになっている。そして割当て抽選手段161は、２個の停止ボタンの組み合わせに対応する当選確率がそれぞれ決定されたら、これを移行確率データとして記憶する。
（押下判定手段162）
押下判定手段162は、停止ボタンからの検知信号及びリール制御手段130からの同時押下信号の有無に基づいて、停止ボタンがどの組み合わせによって同時押下されたかを判断するためのものである。
【００６４】
具体的には、押下判定手段162は、特に図示しないが信号入力手段及び計時手段を備え、全回転リール40が回転開始してから所定時間（例えば１０秒）経過前であって、かつ全回転リール40の回転中において、各停止ボタンからの操作検知信号及びリール制御手段130からの同時押下信号を入力可能であるとともに、操作されている停止ボタンの種類（左ボタン51か、中ボタン52か、右ボタン53か）を判別可能に形成されている。
ここで、「全回転リール40回転開始後の所定時間」は、スタートスイッチ30の有効操作信号受信後の所定時間、全回転リール40が定常回転となってからの所定時間、ストップスイッチ50の押下操作が有効となってから（すなわち、全回転リール40の定常回転かつ前遊技終了から所定時間経過）など、適宜設定することができる。
【００６５】
そして押下判定手段162は、同時押下に係る停止ボタンの組み合わせを判定したら、これをボタン押下データとして記憶する。
（報知抽選手段163）
報知抽選手段163は、遊技中の所定契機に、アシスト報知実行抽選（以下ＡＴ報知実行抽選という）を行うためのものである。ここで、ＡＴ報知実行抽選とは、前記移行確率データのうち、高確率テーブルが割当てられた２個の停止ボタンの組み合わせを遊技者に向かって報知する高確率組合せアシスト報知を、演出制御装置22に実行させるか否かの抽選である。
【００６６】
ＡＴ報知実行抽選は、例えば前記当選確率割当て抽選と同時に、報知抽選手段163の有するＡＴ報知実行抽選テーブルを用いて行われる。
また、ＡＴ報知実行抽選は、当選に係るＢＢがＳＢＢの場合と、ＮＢＢの場合とで、当選確率が異なるように形成されている。具体的には、ＡＴ報知実行抽選を行うための判定テーブルとして、所定の当選領域を有する低確率テーブルと、低確率テーブルよりも当選領域が多く設定された高確率テーブルとが設けられており、報知抽選手段163は、ＳＢＢの場合には高確率テーブルを用いてＡＴ報知実行抽選を行い、ＮＢＢの場合には低確率テーブルを用いてＡＴ報知実行抽選を行う。これにより、ＳＢＢの場合の方が、高確率組合せアシスト報知の実行される確率が高くなる。
【００６７】
ＡＴ報知実行抽選に当選すると、遊技制御装置21（例えば有利遊技開始制御手段160）から演出制御装置22に演出要請信号が出力され、演出制御装置22の制御によって、所定の高確率組合せアシスト報知が行われる。
なお、演出制御装置22は、ＡＴ報知実行抽選に当選した場合と、特別に設定された開始条件に該当した場合（例えば特定のあるいはいずれかの当選フラグが成立した場合）に、高確率組合せアシスト報知を実行する。具体的には、例えば、２個の停止ボタンの組み合わせを画像表示部67に「左・中」などの文字で表示し、あるいは、停止ボタンを透光部材で形成するとともに内部に発光体を埋設し、二つの停止ボタンの発光体を点灯させることにより停止ボタンの組み合わせを明示する。
【００６８】
高確率組合せアシスト報知が行われる場合には、遊技者は、予め定められた所定時間内に報知された通りの組み合わせで停止ボタンを押下しさえすれば、高確率組合せアシスト報知を受けることができ、ＢＢ終了後に高確率で有利遊技に移行できる恩恵にあずかれる。一方、高確率組合せアシスト報知が行われない場合には、遊技者は高確率で報知を受けられる組み合わせを知ることができないので、とりあえず適当に選んだ二つの停止ボタンを押下してみるしかない。この場合には、運が良ければ、高確率組合せアシスト報知を受けることができるが、その確率は、高確率組合せアシスト報知が実行される場合の３分の１になる。
【００６９】
そして、ＡＴ報知実行抽選用の抽選テーブルのうち、高確率テーブルの当選確率を例えば９５パーセント程度に設定しておけば、ＳＢＢ当選時にはほぼ必ず高確率組合せアシスト報知が実行されることとなり、ＳＢＢ終了後のＲＴへの移行可能性が極めて大きくなる。逆に、低確率テーブルの当選確率を５パーセント程度に設定すれば、ＮＢＢ当選時にはほとんど高確率組合せアシスト報知が実行されることがなく、ＮＢＢ終了後のＲＴへの移行可能性は小さくなる。
なお、ＮＢＢ当選とＳＢＢ当選では、当選図柄が異なる（例えばＮＢＢは「赤７」を３個揃え、ＳＢＢは「青７」を３個揃えると入賞となる）ように設定されている場合には、高確率組合せアシスト報知が実行されたら、アシストに応じて停止ボタンの操作を行った後、ＳＢＢの当選図柄を狙って目押しをすれば、早期にＢＢ入賞させることができ、遊技を効率的に行うことができる。
【００７０】
（開始決定手段164）
開始決定手段164は、割当て抽選手段161の記憶している移行確率データ及び押下判定手段162の記憶しているボタン押下データに基づいて、ＲＴ移行抽選を行い、当該抽選結果に基づいて、ＲＴゲーム移行決定を行うためのものである。
ＲＴ移行抽選は、ボタン押下データに基づく２個の停止ボタンの組み合わせに対して設定されたＲＴ移行抽選用の抽選テーブルを用いて、同時押下信号受信のタイミングで行われる。例えば、移行確率データとして、「左・中、低確率」「左・右、高確率」「中・右、中確率」が記憶されており、ボタン押下データが「左・中」である場合には、開始決定手段164は、低確率テーブルを用いて、ＲＴ移行抽選を行う。
【００７１】
なお、有利遊技開始制御手段160には、ＲＴ移行抽選用の抽選テーブルとして、前記割当て抽選手段161の抽選対象となる高・中・低３つの抽選テーブル以外に、固定確率テーブルを有している。この固定確率テーブルは、リール回転開始後所定時間内に停止ボタンの同時押下がなされなかった場合などにＲＴ移行抽選を行うためのものであり、好ましくは、割当て抽選手段161の低確率テーブルよりも当選確率が低く（当選領域が小さく）設定されているのがよい。
そして、開始決定手段164は、前記ＲＴ移行抽選の結果が当選である場合には、ＲＴゲーム移行決定を行い、この際、有利遊技制御手段120によってＢＢ終了後に所定回数（例えば１００ゲーム）のＲＴゲームを行わせるためのＲＴフラグが成立する。ＲＴフラグの成立中は、当選判定手段110の当選判定において、通常遊技よりもリプレイ当選領域の多く設定された当選判定テーブル113が選択され、ＲＴゲームが行われることとなる。
【００７２】
（スロットマシン10の動作）
次に、上記構成を備えたスロットマシンの動作の概略について、図３乃至図７に示すフローを用いて説明する。
まず、図３に示すステップ１００において、スタートスイッチ30が操作されることにより、スタートスイッチ30がＯＮとなる。そして、次のステップ１０１に進む。
ステップ１０１において、当選抽選手段110により抽選処理が行われる。そして、次のステップ１０２に進む。
ステップ１０２において、回転リール40の回転が開始する。そして、次のステップ１０３に進む。
【００７３】
ステップ１０３において、いずれか一つの停止ボタンの操作によりストップスイッチ50がＯＮとなったかどうかを判断する。ストップスイッチ50がＯＮにならない場合には、ステップ１０３に戻る。一方、ストップスイッチ50がＯＮとなった場合は、次のステップ１０４に進む。
ステップ１０４において、回転リール40の回転停止処理が行われる。そして、次のステップ１０５に進む。
ステップ１０５において、３個の回転リール40に対応するすべての停止ボタンについて停止操作が行われたか否かが判定される。３個の回転リール40に対応するすべての停止ボタンの停止操作が行われていない場合、すなわち回転中の回転リール40がある場合には、ステップ１０３に戻る。一方、３個の回転リール40に対応するすべての停止ボタンの停止操作が行われたと判定された場合には、次のステップ１０６に進む。
【００７４】
ステップ１０６において、当選フラグ成立中に当該当選フラグに対応する当選図柄が入賞有効ライン上に揃ったか否か、すなわち、入賞したか否かが判定される。そして、入賞したと判定された場合、次のステップ１０７に進む。
ステップ１０７において、入賞の種類に応じたメダルが払い出されたり、有利遊技への移行処理がなされる。そして、遊技が終了する。
前記ステップ１０６において、入賞していないと判定された場合、ステップ１０７を飛び越して、遊技が終了する。
上述したステップ１０１の抽選処理について、図４のフローを用いて説明する。
【００７５】
ステップ２００において、当選抽選手段110の乱数発生手段111により発生された乱数の中から乱数抽出手段112により乱数が抽出される。そして、次のステップ２０１に進む。
ステップ２０１において、抽出された乱数が乱数抽出手段112の内部に記憶される。そして、次のステップ２０２に進む。
ステップ２０２において、判定手段114により、抽出された乱数と、当選判定テーブル113の当選判定領域データとの比較が行われる。そして、次のステップ２０３に進む。
ステップ２０３において、判定手段114により、抽出された乱数が、当選判定テーブル113のどの当選領域に含まれるか決定され、抽選処理の評価が決定される。そして、次のステップ２０４に進む。
【００７６】
ステップ２０４において、所定の図柄の蹴飛ばしと、所定図柄の引き込みとが設定される。そして、抽選処理が終了する。
上述したステップ１０４の回転リール40の回転停止処理について、図５を用いて説明する。
ステップ３００において、所定の図柄に対して、蹴飛ばしの設定が達成されたか否かが判定される。そして、所定の図柄の蹴飛ばしの設定が達成されていないと判定された場合、次のステップ３０１に進む。
ステップ３０１において、１個の図柄分だけ、回転リール40を回転させる。すなわち、１個の図柄分だけ蹴飛ばしを行う。そして、次のステップ３０２に進む。
【００７７】
ステップ３０２において、上述した１個の図柄分だけ回転リール40を回転させた当該図柄の数がストップスイッチ50の操作後の４個目に該当するか否かが判定される。そして、ストップスイッチ50を操作した後、１図柄ずつ回転リール40を回転させてずらした図柄の数が４個目の場合には、次のステップ３０３に進む。
ステップ３０３において、回転リール40の回転を停止させる。これにより、メダル投入から回転リール40の回転停止までのスロットマシン10の動作が終了する。
前記ステップ３００において、所定の図柄の蹴飛ばしの設定が達成されていると判定された場合、次のステップ３０４に進む。
【００７８】
ステップ３０４において、いずれかの図柄に対して引き込みが設定されているか否かが判定される。そして、いずれかの図柄に対して引き込みが設定されていると判定された場合、次のステップ３０５に進む。
ステップ３０５において、引き込み設定が達成されたか否かが判定される。そして、引き込み設定が達成されたと判定された場合、次のステップ３０３に進む。
前記ステップ３０４において、いずれの図柄に対しても引き込みが設定されていないと判定された場合、ステップ３０３に進む。
前記ステップ３０５において、引き込み設定が達成されていないと判定された場合、ステップ３０１に進む。
【００７９】
前記ステップ３０２において、ストップスイッチ50を操作した後、１図柄ずつ回転リール40を回転させてずらした図柄の数が４個目でない場合には、ステップ３００に戻る。
なお、上述した実施の形態において、回転リール40の停止処理に関してステップ３０１〜ステップ３０５で説明しているが、この例は、いわゆる最小引き込み停止制御の例であり、逆に最大引き込み停止制御としても良い。更には、例えば、ストップスイッチ50を押すタイミングで予め定めたテーブルに従って回転リール40の停止位置を決定する、いわゆるテーブル停止制御の方法によるものでも良いものである。このテーブル停止制御は、当選フラグ成立の有無や、当選フラグ成立中の当選図柄に基づいた複数のテーブルを有し、この複数のテーブルから適宜、遊技状況に応じたテーブルが選択されるものである。
【００８０】
なお、テーブル停止制御においても、当選フラグが成立しているときには、その当選フラグに対応する図柄が入賞有効ライン上に揃うように、予めテーブルの上で停止位置が決定されてあり、いわゆる引き込み設定の一種を備えているものである。また、当選フラグが成立していないときには、他の当選図柄が入賞有効ライン上に揃わないように、予めテーブルの上で停止位置が決定されてあり、いわゆる蹴飛ばし設定の一種を備えているものである。
続いて、有利遊技開始制御手段160による、同時押下に基づく有利遊技開始の決定制御について、図６のフローに基づき説明する。
【００８１】
まず、図６のステップ４００において、ＢＢフラグが成立したか否かを判断する。ここでは、前遊技から持ち越されているＢＢフラグの有無ではなく、当選判定の抽選結果がＢＢ当選となり、ＢＢフラグが成立したかどうかを判断する。そして、ＢＢフラグが成立していない場合には、ステップ４００に戻る。一方、ＢＢフラグが成立した場合には、次のステップ４０１に進む。
ステップ４０１において、割当て抽選手段161がＲＴ移行抽選に係る当選確率の割当て抽選を行う。そして、次のステップ４０２に進む。
ステップ４０２において、フラグ成立に係るＢＢがＳＢＢかどうかを判断する。ＳＢＢの場合には、次のステップ４０３に進む。
【００８２】
ステップ４０３において、報知抽選手段163が、高確率テーブルを用いてＡＴ報知実行抽選を行う。そして、ステップ４０５に進む。
前記ステップ４０２において、フラグ成立に係るＢＢがＳＢＢでない場合（すなわちＮＢＢの場合）には、ステップ４０４に進む。
ステップ４０４において、報知抽選手段163が、低確率テーブルを用いてＡＴ報知実行抽選を行う。そして、ステップ４０５に進む。
ステップ４０５において、ＡＴ報知実行抽選に当選したか否かを判断する。ＡＴ報知実行抽選に当選した場合には、次のステップ４０６に進む。
【００８３】
ステップ４０６において、演出制御装置22が高確率組合せアシスト報知を実行する。そして、次のステップ４０７に進む。
前記ステップ４０５において、ＡＴ報知実行抽選に当選しなかった場合には、ステップ４０６を飛び越して、ステップ４０７に進む。
ステップ４０７において、回転リール40が回転開始してから１０秒以内かどうかを判断する。リール回転開始後１０秒以内である場合には、次のステップ４０８に進む。
ステップ４０８において、いずれかの回転リール40が停止したかどうかを判断する。回転リール40が停止したかどうかは、リール制御手段130が駆動モータに駆動停止信号を出力したこと、あるいはいずれかのストップスイッチ50がＯＮになった（つまり停止ボタンが同時押下されなかった）ことに基づき判断することができる。そして、いずれの回転リール40も停止していない場合には、次のステップ４０９に進む。
【００８４】
ステップ４０９において、リール制御手段130から同時押下信号が出力されているかどうかを判断する。同時押下信号が出力されていない場合には、ステップ４０７に戻る。一方、同時押下信号が出力された場合には、図７のステップ４１０に進む。
図７におけるステップ４１０において、押下判定手段162が、同時押下された停止ボタンが、左ボタン51、中ボタン52の組合せかどうかを判断する。左ボタン51、中ボタン52の組合せである場合には、次のステップ４１１に進む。
ステップ４１１において、割当て抽選によって「左・中」の停止ボタンの組合せに割り当てられた抽選テーブルを用いて、開始決定手段164がＲＴ移行抽選を行う。そして、ステップ４１５に進む。
【００８５】
前記ステップステップ４１０において、同時押下された停止ボタンが、左ボタン51、中ボタン52の組合せでない場合には、ステップ４１２に進む。
ステップ４１２において、同時押下された停止ボタンが、左ボタン51、右ボタン53の組合せかどうかを判断する。左ボタン51、右ボタン53の組合せである場合には、次のステップ４１３に進む。
ステップ４１３において、「左・右」の停止ボタンの組合せに割り当てられた抽選テーブルを用いて、ＲＴ移行抽選を行う。そして、ステップ４１５に進む。
前記ステップ４１２において、同時押下された停止ボタンが、左ボタン51、右ボタン53の組合せでない場合には、ステップ４１４に進む。
【００８６】
ステップ４１４において、「左・中」の停止ボタンの組合せに割り当てられた抽選テーブルを用いて、ＲＴ移行抽選を行う。そして、ステップ４１５に進む。
一方、図６のステップ４０７において、リール回転開始から１０秒が経過したと判断した場合、及びステップ４０８において、いずれかの回転リール40が停止したと判断した場合には、図７のステップ４１７に進む。
ステップ４１７において、開始決定手段164は、固定確率テーブルを用いて、予め定められた当選確率でＲＴ移行抽選を行う。すなわち、２個の停止ボタンの同時押下操作をしなかった場合でも、回転リール40の回転開始後１０秒経過すれば、所定の確率でＲＴ移行抽選が行われるものである。そして、ステップ４１５に進む。
【００８７】
ステップ４１５において、ＲＴ移行抽選に当選したかどうかを判断する。ＲＴ移行抽選に当選していない場合には、停止ボタンの同時押下に基づく有利遊技開始の決定制御を終了する。一方、ＲＴ移行抽選に当選した場合には、次のステップ４１６に進む。
ステップ４１６において、開始決定手段164の開始決定に基づき、ＲＴゲームを開始させるためのＲＴフラグが成立する。そして、停止ボタンの同時押下に基づく有利遊技開始の決定制御を終了する。
このように、本実施の形態によれば、回転リール40が全停止する前に、いずれか２個の停止ボタンを同時押下することによって、停止ボタンの組合せに応じた抽選確率でＲＴ移行抽選が行われるので、遊技者が自力でＲＴゲームを勝ち取る楽しみを付与することができ、今までにない遊技性を提供することができる。
【００８８】
さらに、ＢＢフラグ成立時にＡＴ報知実行抽選に基づく高確率組合せアシスト報知を実行可能とし、かつＳＢＢフラグが成立している場合にはＡＴ報知実行抽選の当選確率が高くなるよう形成したことにより、高確率組合せアシスト報知が行われる場合にはＳＢＢ当選している可能性があると遊技者に期待感を抱かせることができる。
なお、上記実施の形態では、適正押下態様に基づいて開始される有利遊技をＲＴゲームに設定してあったが、有利遊技はＲＴに限られず、ＡＴやＡＲＴ、その他の有利遊技であっても構わない。また、ＢＢ終了後に有利遊技へ移行するように形成してあったが、本発明においては、有利遊技の開始時期はこれに限定されるものではなく、例えば通常遊技中に有利遊技に移行するようにしてもよい。この場合には、当選確率割当て抽選を毎遊技行うようにしてもよい。またこの場合、ＡＴ報知実行抽選の当選確率を遊技期間に応じて適宜変更することにより、有利遊技への移行可能性の高い遊技期間と、そうでない遊技期間とを作り出すことができる。
【００８９】
また、本実施の形態においては、３通りの停止ボタンの組合せにそれぞれ当選確率の異なるＲＴ移行抽選用の抽選テーブルを割当てるように形成してあったが、本発明には、組合せによって当選確率を変化させず、いずれか２個の停止ボタンを同時押下するタイミングで、ＲＴ移行抽選が行われる場合も含まれる。この場合には、遊技状態、例えば当選フラグの有無や遊技モードなどに応じて、ＲＴ移行抽選の当選確率を変化させてもよい。
あるいは、ＲＴ移行抽選の契機となる２個の停止ボタンの組合せが一通りだけ設定されるように形成してもよい。すなわち、３通りの停止ボタンの組合せのうち、どれか一つの組合せで停止ボタンを同時押下すると、ＲＴ移行抽選が行われるようにしてもよいものである。この場合には、ＡＴ報知実行抽選において、当該組合せを遊技者に報知するか否かを決定し、遊技者にアシスト報知するようにするとよい。
【００９０】
なお、前記ステップ４００の「ＢＢフラグ成立」の判断は、上述したＢＢ当選時だけでなく、ＢＢゲーム中やＢＢゲーム終了時も含めた広い概念としてもよい。すなわち、当選確率割当て抽選は、ＢＢ当選から有利遊技開始までの間のいずれかの遊技中に行われればよい。ただ、ＢＢ入賞前に高確率組合せアシスト報知が行われると、それ自体がＢＢ（ＳＢＢ）当選を報知することになるので、遊技者にとってはＢＢ当選時に当選確率割当て抽選及びＡＴ報知実行抽選が行われるのが好ましいといえる。
また、上記実施の形態においては、すべての回転リール40の回転中に、所定の押下態様で停止ボタンが操作された場合に、有利遊技への移行抽選が行われるように形成してあったが、本発明では、いずれかの回転リール40の停止後であっても、適正な押下態様によって停止ボタンが同時操作された場合には、有利遊技移行抽選が行われるように形成してもよいものである。この場合には、リール制御手段130は、回転中の回転リール40に対応する停止ボタンと、すでに停止している回転リール40に対応する停止ボタンとが同時に押下された場合には、回転中の回転リール40の回転を停止させず、同時押下信号を出力するように形成する。そして、有利遊技開始制御手段160は、少なくとも１の回転リール40が回転している間は、同時押下の有無の判定を実行可能とし、同時押下に係る停止ボタンの組合せに応じて、有利遊技移行抽選を行う。このように形成すれば、すでに回転リール40を停止させた後でも、まだ回転中の回転リール40がある間は、有利遊技への移行の可能性があることとなる。
【００９１】
ところで、本実施の形態は、以上のように構成されているものであるが、このスロットマシンは、遊技機を、複数の図柄を変動表示及び停止表示可能な複数の図柄表示手段、前記図柄表示手段の図柄を変動表示させるための図柄変動開始手段、前記各図柄表示手段の図柄を停止表示させるための少なくとも３個の操作部からなる図柄変動停止手段、前記図柄表示手段、前記図柄変動開始手段及び前記図柄変動停止手段を制御すると共に、当選に関する抽選を行うための遊技制御手段21、複数の前記図柄表示手段がすべて停止表示された状態で、視認可能な複数の図柄が、あらかじめ定められた態様で表示されることを条件に入賞として扱うための入賞判定手段150、前記図柄変動停止手段の複数の操作部が同時に操作された場合には、前記図柄表示手段の図柄変動を停止不能とするための操作無効手段、２個の操作部が同時操作されたことを判定する操作判定手段162、前記図柄表示手段の図柄変動が開始してから所定時間が経過する前であって、かついずれかの図柄表示手段が停止表示される前に、前記図柄変動停止手段のうちいずれか２個の操作部が同時操作された場合には、当該操作タイミングで、前記有利遊技を開始させるか否かを抽選テーブルを用いて有利遊技移行抽選により決定可能な開始決定手段手段164、として機能させるための遊技機用プログラムによって制御することができる。
【００９２】
さらに、前記遊技用プログラムを記憶したコンピュータ読み取り可能な記憶媒体を用いて制御することができる。
ここで、前記図柄表示手段は、回転リール40を用いたものでもよいし、液晶ディスプレイやＣＲＴ等の画像表示装置に複数の図柄を順次表示させるようにしたものでもよい。
また、入賞判定手段としては、前記遊技機用プログラムを用いてスロットマシンを制御する場合には、ホッパーユニット65を介して遊技者にメダルを払い出すように形成することができる。一方、前記遊技機用プログラムを用いて、業務用若しくは家庭用のテレビゲーム機を制御しようとする場合には、現実の遊技メダルの払い出しは行えないので、例えば液晶ディスプレイやＣＲＴ等の画像表示装置に、獲得メダル数の枚数表示をしたり、メダルの増減がわかるような絵（動画でも静止画でもよい）を表示するように形成することができる。
【００９３】
なお、本発明は、スロットマシン以外の遊技機にも応用できる。
【図面の簡単な説明】
【００９４】
【図１】本発明の実施の形態であって、スロットマシンの入力、制御及び出力を示すブロック図である。
【図２】本発明の実施の形態であって、スロットマシンを示す外観正面図である。
【図３】本発明の実施の形態であって、遊技制御装置によるスロットマシンの作動の概略を示すフローである。
【図４】本発明の実施の形態であって、スロットマシンの作動のうち、抽選処理の概略を示すフローである。
【図５】本発明の実施の形態であって、スロットマシンの作動のうち、リール回転停止処理の概略を示すフローである。
【図６】本発明の実施の形態であって、有利遊技開始制御手段による有利遊技開始決定制御の概略を示すフローである。
【図７】図６の続きのフローである。
【符号の説明】
【００９５】
10  スロットマシン                  11  筺体
12  表示窓                          13  図柄表示窓
15  投入スイッチ                    16  ベットスイッチ
17  精算スイッチ                    18  押下回数表示手段
20  制御装置                        21  遊技制御装置
22  演出制御装置                    30  スタートスイッチ
40  回転リール                      50  ストップスイッチ
60  リールユニット                  65  ホッパーユニット
66  表示装置                        70  通常遊技制御手段
80  特別遊技制御手段                90  特定導入遊技制御手段
100  特定遊技制御手段               110  当選抽選手段
111  乱数発生手段                   112  乱数抽出手段
113  当選判定テーブル               114  判定手段
120  有利遊技制御手段               130  リール制御手段
140  ホッパー制御手段               150  入賞判定手段
160  有利遊技開始制御手段           161  割当て抽選手段
162  押下判定手段（操作判定手段）   163  報知抽選手段
164  開始決定手段
【図１】
2007209427.tif 000003
【図２】
2007209427.tif 000004
【図３】
2007209427.tif 000005
【図４】
2007209427.tif 000006
【図５】
2007209427.tif 000007
【図６】
2007209427.tif 000008
【図７】
2007209427.tif 000009